(57)【要約】【課題】筆記と捺印とをすることができる文房具用板体を提供する。【解決手段】この発明の文房具用板体は、筆記及び捺印される側に設けられた比較的硬質の筆記特性付与シート２０と、前記筆記特性付与シート２０の裏面側に設けられた弾力性を有する捺印特性付与シート２２と、前記捺印特性付与シート２２の裏面側に設けられた保型性を有する保型用基材２４とを備えたものである。この発明の文房具用板体は、その端縁近傍にクリップを固定してクリップボードとして用いることができる。【選択図】図２
2005219476.tif 000002
【特許請求の範囲】
【請求項１】
筆記及び捺印される側に設けられた比較的硬質の筆記特性付与シートと、
前記筆記特性付与シートの裏面側に設けられた弾力性を有する捺印特性付与シートと、
前記捺印特性付与シートの裏面側に設けられた保型性を有する保型用基材とを備えた、文房具用板体。
【請求項２】
前記筆記特性付与シートは、合成樹脂または紙材で形成されたシートである、請求項１に記載の文房具用板体。
【請求項３】
少なくとも、下記の（ａ）、（ｂ）および（ｃ）のうち１つが選択された、請求項１または請求項２に記載の文房具用板体。
（ａ）前記筆記特性付与シートは、ポリプロピレンシートまたはチップボールシートである、
（ｂ）前記捺印特性付与シートは、発泡ポリエチレンシートである、
（ｃ）前記保型用基材は、チップボールまたは発泡ポリプロピレンのボードである。
【請求項４】
前記筆記特性付与シートの表面側と前記保型用基材の裏面側とは、合成樹脂被覆シートで被覆され、
前記筆記特性付与シートの表面側の前記合成樹脂被覆シートは、前記筆記特性付与シートの筆記特性を損なわないで筆記具の滑りを止める特性を有する合成樹脂シートである、請求項１ないし請求項３のいずれかに記載の文房具用板体。
【請求項５】
前記筆記特性付与シートの表面側の前記合成樹脂被覆シートと、前記保型用基材の裏面側の前記合成樹脂被覆シートとが、前記筆記特性付与シートと前記捺印特性付与シートと前記保型用基材とを被覆しかつそれらの周縁の外側において熱溶着された、請求項４に記載の文房具用板体。
【請求項６】
前記合成樹脂被覆シートは、オレフィン系合成樹脂シートである、請求項４または請求項５に記載の文房具用板体。
【請求項７】
前記請求項１ないし請求項６のいずれかに記載の文房具用板体の端縁近傍にクリップが固定されてなる、クリップボード。
【発明の詳細な説明】
【技術分野】
【０００１】
この発明は、文房具用板体に関し、特に、例えばペン、ボールペン、鉛筆などの筆記具及び印鑑などのような捺印具を含む文房具により記入及び捺印をするに適する文房具用板体に関する。
【背景技術】
【０００２】
現在、ボールペンや鉛筆などの筆記具をもって記入する携帯型記入台として、たとえばクリップボードが用いられている。クリップボードの記入台部分は、良好な筆記適性を備える必要があり、例えばＡＢＳ樹脂単体やボール芯を合成樹脂シートで被覆したもので構成されている（例えば、特許文献１参照）。
【０００３】
【特許文献１】特開２００２−１９３５５号公報
【発明の開示】
【発明が解決しようとする課題】
【０００４】
しかしながら、クリップボードの記入台部分は、良好な筆記適性を得るために、比較的硬質な表面を有しており、印鑑などを用いて紙面に捺印を行うのに適した性質を有していない。そこで、記入用紙に捺印する場合には、柔軟なシートの表面を塩化ビニルシートで被覆した捺印台や柔軟な合成樹脂シート単体からなる捺印台が用いられる。このように、記入台は筆記具による筆記適性を備える必要性があり、一方、捺印台は弾力性を必要とするので、それぞれの適性が相反する性質を有する。そのために、筆記具による記入と捺印具による捺印とを同じ台の上で行うことは困難である。
【０００５】
すなわち、筆記具による記入に適していれば、その表面が硬いために捺印具による捺印には不向きであり、捺印具による捺印が容易にできる台ならば、筆記具による筆記に際し抵抗が大きくて筆記具が円滑に滑らず、紙面に記入がしにくい。さらに、捺印台のような弾性を有するものでは、筆記具の先が台の中に沈んで筆記用紙が破れてしまうなどの問題がある。
【０００６】
それゆえに、この発明の主たる目的は、筆記と捺印の両方を行うことができる文房具用板体を提供することである。
【課題を解決するための手段】
【０００７】
この発明の請求項１にかかる文房具用板体は、筆記及び捺印される側に設けられた比較的硬質の筆記特性付与シートと、前記筆記特性付与シートの裏面側に設けられた弾力性を有する捺印特性付与シートと、前記捺印特性付与シートの裏面側に設けられた保型性を有する保型用基材とを備えた、文房具用板体である。
この発明の請求項２にかかる文房具用板体は、前記筆記特性付与シートは、合成樹脂または紙材で形成されたシートである、請求項１に記載の文房具用板体である。
この発明の請求項３にかかる文房具用板体は、少なくとも、下記の（ａ）、（ｂ）および（ｃ）のうち１つが選択された、請求項１または請求項２に記載の文房具用板体である。
（ａ）前記筆記特性付与シートは、ポリプロピレンシートまたはチップボールシートである、
（ｂ）前記捺印特性付与シートは、発泡ポリエチレンシートである、
（ｃ）前記保型用基材は、チップボールまたは発泡ポリプロピレンのボードである。
この発明の請求項４にかかる文房具用板体は、前記筆記特性付与シートの表面側と前記保型用基材の裏面側とは、合成樹脂被覆シートで被覆され、前記筆記特性付与シートの表面側の前記合成樹脂被覆シートは、前記筆記特性付与シートの筆記特性を損なわないで筆記具の滑りを止める特性を有する合成樹脂シートである、請求項１ないし請求項３のいずれかに記載の文房具用板体である。
この発明の請求項５にかかる文房具用板体は、前記筆記特性付与シートの表面側の前記合成樹脂被覆シートと、前記保型用基材の裏面側の前記合成樹脂被覆シートとが、前記筆記特性付与シートと前記捺印特性付与シートと前記保型用基材とを被覆しかつそれらの周縁の外側において熱溶着された、請求項４に記載の文房具用板体である。
この発明の請求項６にかかる文房具用板体は、前記合成樹脂被覆シートは、オレフィン系合成樹脂シートである、請求項４または請求項５に記載の文房具用板体である。
この発明の請求項７にかかる文房具用板体は、前記請求項１ないし請求項６のいずれかに記載の文房具用板体の端縁近傍にクリップが固定して、クリップボードとして用いることができる。
【発明の効果】
【０００８】
請求項１の発明によれば、弾力性を有する捺印特性付与シートを、保型性を有する保型用基材と比較的硬質の筆記特性付与シートとで挟むことにより、捺印特性付与シートの弾性を生かしながら、筆記具による筆記適性に優れた文房具用板体を得ることができる。
特に、筆記と捺印の負荷を弾力性を有する捺印特性付与シートの弾性で吸収しながら、その弾性を損なわない比較的硬質の筆記特性シートにより、弾力性を有する捺印特性付与シートのみでは柔らかすぎる筆記面に、筆記適性を与えることができる。それにより、筆記及び捺印の両方に適する文房具用板体を得ることができる。
また保型性を有する保型用基材により、全体の形状を保つことができ、筆記及び捺印の負荷を受け止める機能を備えた文房具用板体を得ることができる。
【０００９】
請求項２の発明によれば、筆記特性付与シートの材料として、合成樹脂や紙材を用いることができる。なお、筆記特性付与シートの材料として紙材を用いれば、文房具用板体を作製する際の加工性を良好にすることができる。
【００１０】
請求項３の発明によれば、例えば、発泡ポリエチレンシートからなる捺印特性付与シートを、チップボールからなる保型用基材とポリプロピレンシートからなる筆記特性付与シートとで挟着したり、いずれもチップボールからなる保型用基材と筆記特性付与シートとで挟着することにより、捺印特性付与シートの弾性を生かしながら筆記特性の高い文房具用板体を得ることができる。
しかも、筆記と捺印の負荷を発泡ポリエチレンシートからなる捺印特性付与シートの弾性で吸収しながら、その弾性を損なわないポリプロピレンシートやチップボールシートからなる筆記特性付与シートにより、柔らかすぎる筆記面を覆って筆記適性を付与した文房具用板体を得ることが可能となる。
また、チップボールからなる保型用基材を文房具用板体の芯材として用いれば、全体の自立性を確保しながら、筆記及び捺印の負荷を受け止めることができるので、筆記及び捺印適性を向上させることができる。
【００１１】
請求項４の発明によれば、筆記特性付与シートの表面側と保型用基材の裏面側とが合成樹脂被覆シートで被覆されるので、それらの保護を図ることができる。また、筆記特性付与シートの表面側の合成樹脂被覆シートにより、筆記をする時に筆記具が滑りすぎて正確な筆記ができなくなることを防ぎ、筆記を適性に行うことができるようにすることができる。
【００１２】
請求項５の発明によれば、筆記特性付与シートと捺印特性付与シートと保型用基材とが合成樹脂被覆シートで被覆され、かつそれらの周縁の外側において合成樹脂被覆シートが熱溶着されるので、それらが保護される。また、文房具用板体の製造においては、それらのシートや基材を積層した状態で、合成樹脂被覆シートを熱溶着することにより、比較的簡単に文房具用板体を作製することができる。
【００１３】
請求項６の発明によれば、上述のような合成樹脂被覆シートとして、オレフィン系合成樹脂シートを用いることができる。
【００１４】
請求項７の発明によれば、単独で筆記とともに捺印が可能な携帯性に優れたクリップボードを得ることができる。
【００１５】
この発明の上述の目的、その他の目的、特徴および利点は、図面を参照して行う以下の発明の実施の形態の詳細な説明から一層明らかとなろう。
【発明を実施するための最良の形態】
【００１６】
図１は、この発明の一実施の形態である文房具用板体を用いたクリップボードの正面図解図である。図２は、図１図示クリップボードの横断面（図１Ｃ−Ｃ断面）図解図である。図３は、図１図示クリップボードの横断面（図１Ｄ−Ｄ断面）図解図である。図４は、図１図示クリップボードの横断面（図１Ｅ−Ｅ断面）図解図である。図５は、この発明の文房具用板体の利用方法を示す断面図解図である。図６は、図１に示すクリップボードに取り付けられたクリップが開状態になったときの斜視図である。図７は、図６に示すクリップボードに取り付けられたクリップが閉状態になったときの斜視図である。
【００１７】
このクリップボード１０は、図１に示すように、この発明の一実施の形態である文房具用板体からなる台１２を含み、さらに、図６および図７に示すように、該台１２の端縁近傍に固定されたクリップ１４を備える。
【００１８】
台１２は、図２に示すように、筆記特性付与シート２０と、捺印特性付与シート２２と、保型用基材２４とを含む。筆記特性付与シート２０は、台１２の筆記及び捺印される表面側（ペン、ボールペン、鉛筆などの筆記具及び印鑑などの捺印具が当接する筆記及び捺印側）に設けられ、比較的硬質の方形の合成樹脂シートや紙材などにより形成される。また、捺印特性付与シート２２は、筆記特性付与シート２０の裏面側に設けられ、弾力性を有する方形の合成樹脂シートなどにより形成される。さらに、保型用基材２４は、捺印特性付与シート２２の裏面側に設けられ、保型性を有する方形の基材により形成される。筆記特性付与合成樹脂シート２０と捺印特性付与シート２２と保型用基材２４とは、略同一の形状を有する。
【００１９】
前記筆記特性付与シート２０の表面側と保型用基材２４の裏面側とは、合成樹脂被覆シート２６で被覆されている。
特に、前記筆記特性付与シート２０の表面側の合成樹脂被覆シート２６ａは、筆記特性付与シート２０の筆記特性を損なわない範囲で筆記具の滑りを止める特性を有するオレフィン系合成樹脂シートからなる。
この実施の形態においては、保型用基材２４の裏面側に被覆された合成樹脂被覆シート２６ｂもオレフィン系合成樹脂シートからなり、前記筆記特性付与シート２０、捺印特性付与シート２２及び保型用基材２４の外周縁に沿った形状を備えている。そして、それらの外周縁の外側において、表面側の合成樹脂被覆シート２６ａと裏面側の合成樹脂被覆シート２６ｂとが熱溶着され、外周縁部２８が形成されている。
【００２０】
筆記特性付与シート２０は、捺印特性付与シート２２の弾性を損なわない、例えば、厚さ０．３ｍｍのポリプロピレン製シートからなり、柔軟な捺印特性付与シート２２の筆記及び捺印側の一方の全面を覆ってしている。
【００２１】
捺印特性付与シート２２は、筆記と捺印の負荷をその弾性で吸収し、印鑑などの捺印具による捺印をするときにわずかに沈み込んで捺印具の接触面を捺印される用紙に密着させるために用いられ、例えば、厚さ２ｍｍの発泡ポリエチレンシートなどで形成される。このような捺印特性付与シート２２としては、ウレタンシートなども適用することができる。
【００２２】
保型用基材２４は、台１２の保型性と携帯性に適するための一定の硬度を備え且つ比較的軽量な、例えばその厚さ３ｍｍのチップボールまたは発泡ポリプロピレンボードで形成される。
【００２３】
このクリップボード１０は、文房具用板体で構成されるＢ面側の台１２に折り曲げ部３０を介してＡ面側のカバー３２が連設されている。
折り曲げ部３０及びカバー３２においては、前記合成樹脂被覆シート２６の表面側の合成樹脂被覆シート２６ａと裏面側の合成樹脂被覆シート２６ｂとが伸びて形成される。そして、カバー３２側において、表面側の合成樹脂被覆シート２６ａと裏面側の合成樹脂被覆シート２６ｂとの間には、カバー３２の保型性を具備するためのチップボール製芯材３４が介装されている。
さらに、カバー３２の周縁では、表面側の合成樹脂被覆シート２６ａと裏面側の合成樹脂被覆シート２６ｂとが芯材３４の周縁の外側において熱溶着され、外周縁部３６が形成されている。
なお、このクリップボード１０では、台１２の外周縁部２８とカバー３２の外周縁部３６とが、折り曲げ部３０を介して連続して形成されている。
【００２４】
折り曲げ部３０は、前記表面側の合成樹脂被覆シート２６ａと裏面側の合成樹脂被覆シート２６ｂとで形成され、これらの合成樹脂被覆シート２６ａ，２６ｂが折り曲げ可能に熱溶着される。この折り曲げ部３０においては、断面半円形状の凸条が連続して形成されている。そして、台１２を構成する筆記特性付与シート２０、捺印特性付与シート２２及び保型用基材２４とカバー３２の芯材３４とが折り曲げ部３０によって振り分けられて、所定の位置に収容されるように構成されている。
【００２５】
クリップ１４は、図６〜図９に示すように、台１２の上端に凹み形成されたクリップ固定部４０に配置され、鋲により台１２に固定されている。クリップ固定部４０の側端に形成された鋲の嵌挿孔３８の周縁には、図３に示すように、前記外周縁部３６と同様に熱溶着されて円孔が形成されている。
またカバー３２には、折り曲げ部３０によってカバー３２が台１２側に重ねられたとき、クリップ１４を避けるための平面Ｕ字形のクリップ嵌装部４２が形成されている。クリップ嵌装部４２の周縁は、前記外周縁部３６と同様に熱溶着されている。
【００２６】
このクリップボード１０は、たとえば、文房具用板体からなる平面方形平板状の台１２と、台１２に載置された用箋等を挟んで保持するクリップ１４とを含み、携帯用紙挟みとして用いられる。
クリップ１４は、台１２に対して開閉自在に設けられる挟持部材１１４を含み、前記挟持部材１１４の胴部に穿設された操作部材用孔部１３０には、操作部材１１６が遊装されている。そして、クリップ１４には、台１２に載置された用箋Ａを挟持する方向（閉状態にする方向）に挟持部材１１４を付勢するとともに、操作部材１１６を付勢する付勢部材が設けられている。
【００２７】
前記操作部材１１６は、図６に示すように、挟持部１１８を開状態（挟持部材１１４の挟持部１１８の先端と台１２との間の間隔が広がり、挟持するために台１２上に用箋Ａを載置したりあるいは載置され挟持されていた用箋Ａを取り出すことができる状態）とするために、挟持部材１１４の開用押圧部１２０が開側（開用押圧部１２０が台１２の表面に向かう下側）に押されることにより、挟持部材１１４と相対変移して挟持部材１１４の開状態が維持されるように形成される。さらに、前記操作部材１１６は、図７に示すように、挟持部材１１４が閉状態（挟持部材１１４の挟持部１１８と台１２とが接する状態）とされるとき、その前部領域の閉用操作部１２２が閉側（台１２の表面に向かう下側）に押されることにより、挟持部材１１４と相対変位して挟持部材１１４の閉状態が維持されるように形成されている。
【００２８】
このクリップボード１０では、クリップ１４に用箋Ａを挟んだ状態で、用箋Ａを保持することができる。そして、台１２上において、用箋Ａに筆記具により文字等の記入が行われる。ここで、用箋Ａの下側には、合成樹脂被覆シート２６を介して比較的硬質の筆記特性付与シート２０が配置されているため、筆記適性があり、文字等の記入を行うことができる。さらに、筆記特性付与シート２０の裏面には、弾力性を有する捺印特性付与シート２２が配置されている。そして、筆記特性付与シート２０が比較的薄く形成されていることにより、用箋Ａに印鑑を押し付けたときに、筆記特性付与シート２０が沈み込み、用箋Ａに鮮明な印影を残すことができる。
【００２９】
図１０はこの発明の他の文房具用板体を用いたクリップボードを示す平面図であり、図１１は線Ｆ−Ｆにおける断面図解図である。このクリップボード１０では、筆記特性付与シート２０として、チップボールシートが用いられる。したがって、図１１に示すように、発泡ポリエチレンシートで形成された捺印特性付与シート２２の両面に、チップボールで形成された筆記特性付与シート２０および保型用基材２４が貼り付けられる。ここで、筆記特性付与シート２０側においては、筆記に必要な硬度が要求されるとともに、用箋Ａに印鑑を押し付けたときに、適度に沈み込んで鮮明な印影を残すことができるようにする必要がある。それに対して、保型用基材２４には、台１２全体の形状を保つための強度が要求される。そのため、筆記特性付与シート２０は、保型用基材２４に比べて薄く形成される。
【００３０】
図１０および図１１に示すようなクリップボード１０を得るために、図１２に示すように、カバー３２の芯材も、筆記特性付与シート２０、捺印特性付与シート２２、保型用基材２４の積層体で形成され、台１２部分とカバー３２部分とが複数の連結部５０で連結された連結板５２を用いることができる。この連結板５２の両面に接着剤を塗布し、合成樹脂被覆シート２６ａ，２６ｂを被せて、連結板５２の周囲で熱溶着することにより、クリップボード１０を得ることができる。このとき、台１２側とカバー３２側とが連結部５０で連結されているため、台１２側とカバー３２側との位置関係がずれたりせず、クリップボード１０を連結部５０部分で２つに折り曲げたときに、台１２とカバー３２とを正確に重ね合わせることができる。さらに、筆記特性付与シート２０および保型用基材２４がチップボールで形成されているため、接着剤の接着性が良好となり、合成樹脂被覆シート２６に皺が発生しにくい。したがって、きれいな外観を有するクリップボード１０を得ることができる。このような連結板は、発泡ポリエチレンシートの両側にチップボールシートを張り合わせた積層板を打ち抜くことにより、容易に作製することができる。
【００３１】
筆記特性付与シート２０としてチップボール製のものとポリプロピレン製のものとを使用し、筆記特性付与シート２０および発泡ポリエチレンで形成された捺印特性付与シート２２の厚みを変えて、筆記特性と捺印特性とを調査した。そして、その結果を表１に示す。
【００３２】
【表１】
2005219476.tif 000003
【００３３】
表１からわかるように、チップボール製の筆記特性付与シート２０の厚みが０．５ｍｍまたは１．０ｍｍで、捺印特性付与シート２２の厚みが２．０ｍｍのとき、筆記時における筆記具の沈み込みがやや大きく、筆記特性がやや劣る状態であった。それに対して、捺印特性付与シート２２の厚みが１．０ｍｍのとき、筆記特性付与シート２０の厚みが０．５ｍｍの場合および１．０ｍｍの場合のいずれにおいても、良好な筆記特性を得ることができ、捺印特性も良好であった。
【００３４】
また、ポリプロピレン製の筆記特性付与シート２０を用いた場合、筆記特性付与シート２０の厚みが０．３ｍｍと薄い場合、筆記時における筆記具の沈み込みが大きく、良好な筆記特性を得ることができなかった。それに対して、筆記特性付与シート２０の厚みが０．７５ｍｍの場合、良好な筆記特性を得ることができ、捺印特性も良好であった。
【００３５】
なお、ポリプロピレンシートは接着剤による接着性があまりよくないため、筆記特性付与シート２０および保型用シート２４上に合成樹脂被覆シート２６を被せるとき、合成樹脂被覆シート２６に皺が発生する場合がある。そのため、クリップボード１０の加工性および全体の厚みを考慮すると、厚さ０．５ｍｍのチップボール製の筆記特性付与シート２０と、厚さ１.０ｍｍの捺印特性付与シート２２の組み合わせが好ましい。
【００３６】
この発明は、前記実施の形態に限定されず、この発明の思想に基づき種々変形することが可能である。
例えば、筆記特性付与合成樹脂シートと捺印特性付与シートと保型性を有する保型用基材とを、合成樹脂被覆シート２６で被覆しその周端縁を熱溶着して積層した状態を保持するように形成し、それらの間を接着剤などで接着して積層し、その積層状態を保持するようにしてもよい。
また、台１２の形状は、カバー３２が連設されない方形状で、例えば、図１３に示すようにクリップ１４の取付位置を短辺に設けてもよく、また、図１４に示すように長辺に設けてもよい。
更に、この文房具用板体は、クリップボードに用いるに限らず、例えば、ファイル用表紙のＡ面側もしくはＢ面側に用い、筆記及び捺印可能な台としても利用できる表紙を形成してもよい。
【図面の簡単な説明】
【００３７】
【図１】この発明の一実施の形態である文房具用板体を用いたクリップボードの正面図解図である。
【図２】図１図示クリップボードの横断面（図１Ｃ−Ｃ断面）図解図である。
【図３】図１図示クリップボードの横断面（図１Ｄ−Ｄ断面）図解図である。
【図４】図１図示クリップボードの横断面（図１Ｅ−Ｅ断面）図解図である。
【図５】この発明の文房具用板体の利用方法を示す断面図解図である。
【図６】この発明の一実施の形態である文房具用板体を用いたクリップボードの開状態における斜視図である。
【図７】この発明の一実施の形態である文房具用板体を用いたクリップボードの閉状態における斜視図である。
【図８】図６図示クリップボードの背面図解図である。
【図９】図６図示クリップボードの正面図解図である。
【図１０】この発明の他の実施の形態である文房具用板体を用いたクリップボードの正面図解図である。
【図１１】図１０図示クリップボードの横断面（図１０Ｆ−Ｆ断面）図解図である。
【図１２】図１０図示クリップボードに用いられる連結板を示す正面図解図である。
【図１３】図６図示クリップボードの変形例たるクリップボードの正面図解図である。
【図１４】図６図示クリップボードの変形例たるクリップボードの正面図解図である。
【符号の説明】
【００３８】
Ａ  用箋
１０  クリップボード
１２  台
１４  クリップ
２０  筆記特性付与シート
２２  捺印特性付与シート
２４  保型用基材
２６  合成樹脂被覆シート
２６ａ  表面側の合成樹脂被覆シート
２６ｂ  裏面側の合成樹脂被覆シート
２８  外周縁部
３０  折り曲げ部
３２  カバー
３４  芯材
３６  外周縁部
３８  嵌挿孔
４０  クリップ固定部
４２  クリップ嵌装部
５０  連結部
５２  連結板
１１４  挟持部材
１１６  操作部材
１１８  挟持部
１２０  開用押圧部
１２２  閉用操作部
１３０  操作部材用孔部
【図１】
2005219476.tif 000004
【図２】
2005219476.tif 000005
【図３】
2005219476.tif 000006
【図４】
2005219476.tif 000007
【図５】
2005219476.tif 000008
【図６】
2005219476.tif 000009
【図７】
2005219476.tif 000010
【図８】
2005219476.tif 000011
【図９】
2005219476.tif 000012
【図１０】
2005219476.tif 000013
【図１１】
2005219476.tif 000014
【図１２】
2005219476.tif 000015
【図１３】
2005219476.tif 000016
【図１４】
2005219476.tif 000017